(57)【要約】【課題】新たな部品等を設けることなく振動モードを抑制した密閉型圧縮機を提供することを目的とする。【解決手段】密閉容器内に収納された電動要素及び圧縮要素と、前記密閉容器外に設けたアキュムレータとを備え、前記圧縮要素と前記アキュムレータが管により接続された密閉型圧縮機において、前記管は前記密閉容器側面に突出した水平部から上向きに延伸した端部が前記アキュムレータ底面に接続されて、前記アキュムレータ外周はバンドにより前記密閉容器に固定されて、前記水平部から前記バンドの取付け位置までの高さ距離は、前記水平部から前記アキュムレータ上端までの距離の１／２以下としたことを特徴とする。【選択図】  図１
2012026273.tif 000002
【特許請求の範囲】
【請求項１】
密閉容器内に収納した電動要素及び圧縮要素と、前記密閉容器外に設けたアキュムレータとを備え、前記圧縮要素と前記アキュムレータが管により接続された密閉型圧縮機において、
前記管は前記密閉容器側面に突出した水平部から上向きに延伸した端部が前記アキュムレータ底面に接続されて、前記アキュムレータ外周はバンドにより前記密閉容器に固定されて、
前記水平部から前記バンドの取付け位置までの高さ距離は、前記水平部から前記アキュムレータ上端までの距離の１／２以下としたことを特徴とする密閉型圧縮機。
【発明の詳細な説明】
【技術分野】
【０００１】
本発明は、密閉型圧縮機に関する。
【背景技術】
【０００２】
本技術分野の背景技術として、特開平３−８８９７４号公報（特許文献１）がある。特許文献１には、密閉容器の内部に圧縮要素と電動要素を内蔵して密閉形圧縮機を構成し、前記圧縮要素の吸込口に近接して前記密閉容器の外側にアキュムレータを配設した密閉形圧縮機において、アキュムレータを複数個の取付けパッドで密閉容器に固着してある座に係止することが記載されている。
【先行技術文献】
【特許文献】
【０００３】
【特許文献１】特開平３−８８９７４号公報
【発明の概要】
【発明が解決しようとする課題】
【０００４】
しかしながら、特許文献１に記載の構成では、２箇所の固定強度は同等ではない。また、アキュムレータに生じる振動は密閉容器内の圧縮要素及び電動要素を発生源とするものが主であり、圧縮要素とアキュムレータを接続する曲管はその振動伝達の主経路となる。そのため、曲管によるアキュムレータの固定強度が低い場合、振動源に近いアキュムレータの下端近傍で、主として１０００Ｈｚ以下の周波数の振動モードが現れ、騒音発生につながるおそれがある。
【０００５】
また、アキュムレータ下部にバンドを追加したり、曲管の肉厚を増したり、接続部に補強構造を設けたりする等の固定強化方法によれば、ある程度の振動防止効果は見込めるが、部品点数が増えて、量産に適さない。
【０００６】
そこで本発明は、新たな部品等を設けることなく振動モードを抑制した密閉型圧縮機を提供することを目的とする。
【課題を解決するための手段】
【０００７】
上記課題を解決するために、例えば特許請求の範囲に記載の構成を採用する。本発明は上記課題を解決する手段を複数含んでいるが、その一例を挙げるならば、密閉容器内に収納された電動要素及び圧縮要素と、前記密閉容器外に設けたアキュムレータとを備え、前記圧縮要素と前記アキュムレータが管により接続された密閉型圧縮機において、前記管は前記密閉容器側面に突出した水平部から上向きに延伸した端部が前記アキュムレータ底面に接続されて、前記アキュムレータ外周はバンドにより前記密閉容器に固定されて、前記水平部から前記バンドの取付け位置までの高さ距離は、前記水平部から前記アキュムレータ上端までの距離の１／２以下としたことを特徴とする。
【発明の効果】
【０００８】
本発明によれば、新たな部品等を設けることなく振動モードを抑制した密閉型圧縮機を提供することができる。
【図面の簡単な説明】
【０００９】
【図１】本発明の一実施形態を示す密閉型圧縮機の概略図。
【図２】１０００Ｈｚ以下のアキュムレータの周波数応答関数図。
【図３】バンド高さと最大変形量の関係図。
【図４（ａ）】従来バンド高さ（Ｌ1＝２／３Ｌ）における最大変形モード。
【図４（ｂ）】バンド高さ（Ｌ1＝４／７Ｌ）における振動モード。
【図４（ｃ）】バンド高さ（Ｌ1＝３／７Ｌ）における最大変形モード。
【図４（ｄ）】バンド高さ（Ｌ1＝１／３Ｌ）における最大変形モード。
【図４（ｅ）】バンド高さ（Ｌ1＝１／４Ｌ）における最大変形モード。
【発明を実施するための形態】
【００１０】
以下、図面を参照しながら一実施形態について説明する。
【００１１】
図１は、本発明における実施の形態の一例を示す密閉型圧縮機の概略図である。圧縮要素と電動要素を内蔵した密閉容器１は、外部にアキュムレータ２を備えている。密閉容器１内部の圧縮要素と外部のアキュムレータ２は、曲管３により連結されている。曲管３は曲げ部を有し、密閉容器１内部から外部へ水平に突き出し、曲げ部を介して上向きに延伸してアキュムレータ２の底面に接続されている。また、密閉容器１側面には、取付座４が固定されている。この取付座４と取付バンド５により、アキュムレータ２は外周を束縛されて密閉容器１側に固定されている。すなわち、密閉容器１とアキュムレータ２は、曲管３及び取付バンド５の２箇所で接続された構造となっている。
【００１２】
取付バンド５の鉛直方向の高さ位置は、曲管３の水平部３ａとアキュムレータ上端２ａ間の鉛直方向距離をＬ、曲管３の水平部３ａと取付バンド５間の鉛直方向の距離をＬ1とした時、Ｌ1≦Ｌ／２としている。
【００１３】
図２は、比較例としてバンド位置をＬ1＝２Ｌ／３とした構成において、周波数応答解析を実施して算出したアキュムレータの伝達関数を示したものである。図２から、１０００Ｈｚ以下の周波数帯に１次固有値６，２次固有値７，３次固有値８の３つの固有値を有していることがわかる。そのため、これらの固有値近傍の周波数では大振動が生じ易い。
【００１４】
図３は、バンド高さと最大変形量の関係を示す図である。具体的に、バンド位置Ｌ1をＬ1＝Ｌ／４，Ｌ／３，３Ｌ／７，４Ｌ／７，２Ｌ／３と５通りに変えて周波数応答解析をした。１０００Ｈｚ以下に存在する１次から３次までの固有値におけるアキュムレータの変位の内、最大の値を順次プロットしたものである。
【００１５】
この結果、比較例であるＬ1＝２Ｌ／３が最大変位δであるのに対して、Ｌ1≦Ｌ／２における変位δ1はδ1≦δ／２となった。すなわち、振動の大きさを半減以下に抑制することが可能であることを明らかにした。
【００１６】
図４ａ〜図４ｅは、図３において示した最大変位を生じたときのアキュムレータの振動モードを示す図である。
【００１７】
従来構造であるＬ1＝２Ｌ／３の場合（図４ａ）、最大変位点はアキュムレータ２の下端部近傍である。これに対して、それ以外のモデルではアキュムレータ２下端部の変位は大幅に低減しており、最大変位点はアキュムレータ２上端部に現れる。さらに、Ｌ1が小さいほど（図４ｂから図４ｅに向かうほど）、上端部の変位は増加するが、その増加量は下端部の変位低減量と比べると小さく、アキュムレータ２全体で見た場合の変位量の低減効果が見られる。これより、Ｌ1≦Ｌ／２とすることによって、振動を半減以下に抑え騒音発生防止することができる。
【００１８】
以上より、部品数や材料使用の増加によるコスト上昇を伴わずに、アキュムレータ下部にあらわれる周波数１０００Ｈｚ以下の振動を半減させ、騒音発生を防止することができる。
【符号の説明】
【００１９】
１  密閉容器
２  アキュムレータ
３  曲管
３ａ  曲管水平部
４  取付座
５  取付バンド
６  １次固有値
７  ２次固有値
８  ３次固有値
【図１】
2012026273.tif 000003
【図２】
2012026273.tif 000004
【図３】
2012026273.tif 000005
【図４（ａ）】
2012026273.tif 000006
【図４（ｂ）】
2012026273.tif 000007
【図４（ｃ）】
2012026273.tif 000008
【図４（ｄ）】
2012026273.tif 000009
【図４（ｅ）】
2012026273.tif 000010